(57)【要約】【課題】排尿したときに模様の変化が明瞭に表れることで幼児にその事態を容易に理解させることができる使い捨ておむつを提供する。【解決手段】液透過性の内面シート３と液不透過性で半透明の防水シート１５との間に吸収体４を介在させて成る使い捨ておむつにおいて、防水シート１５の吸収体４に接する内側面に水分又は尿成分と接触すると変化する可変模様２２を形成し、防水シート１５の外側面若しくはそれより外側のバックシート１６に不変模様２１を形成し、かつ可変模様２２と不変模様２１は相互に関連して統一した模様２０を構成している。【選択図】　　　　図３
2004089614.tif 000002
【特許請求の範囲】
【請求項１】
液透過性の内面シートと液不透過性で半透明の防水シートとの間に吸収体を介在させて成る使い捨ておむつにおいて、防水シートの吸収体に接する内側面に水分又は尿成分と接触すると変化する可変模様を形成し、防水シートの外側面若しくはそれより外側に不変模様を形成し、かつ可変模様と不変模様は関連した模様を構成していることを特徴とする使い捨ておむつ。
【請求項２】
防水シートの外面にバックシートを配設し、防水シートの外側面又はバックシートの内側面若しくは外側面に不変模様を形成したことを特徴とする請求項１記載の使い捨ておむつ。
【請求項３】
可変模様は水分と接触すると溶解性を示す水溶性インキによる印刷にて形成したことを特徴とする請求項１又は２記載の使い捨ておむつ。
【請求項４】
可変模様は尿成分と接触すると変色する指示薬を含むホットメルトによる印刷にて形成したことを特徴とする請求項１又は２記載の使い捨ておむつ。
【請求項５】
可変模様は、尿成分と接触すると不変模様と同系色に変色することを特徴とする請求項４記載の使い捨ておむつ。
【請求項６】
不変模様は統一した模様の輪郭を形成し、可変模様は輪郭の内側若しくは外側に描かれた模様であることを特徴とする請求項１〜５の何れかに記載の使い捨ておむつ。
【発明の詳細な説明】
【０００１】
【発明の属する技術分野】
本発明は、幼児、失禁者等を対象とする使い捨ておむつに関し、特に排尿したことを明瞭にかつ幼児などにも的確な印象を与えうるイメージをもって知らせることができる使い捨ておむつに関するものである。
【０００２】
【従来の技術】
使い捨ておむつは、フラット型とパンツ型に大別される。フラット型の使い捨ておむつは、液不透過性シートからなる外面シートと液透過性シートからなる内面シートとの間に吸収体を介在させた構成で、前ウェスト部から股間部を経て後ウェスト部に至る縦長形状に形成され、かつ前ウェスト部と後ウェスト部にそれぞれ両側外方に延出する前サイドフラップと後サイドフラップが設けられている。後サイドフラップには止着テープが設けられ、前ウェスト部にフロントターゲットテープが設けられており、着用者の背側に後ウェスト部を、腹側に前ウェスト部を当てがって、後サイドフラップの止着テープを前ウェスト部のフロントターゲットテープに止着することで、この使い捨ておむつを装着するように構成されている。
【０００３】
パンツ型の使い捨ておむつは、フラット型使い捨ておむつの前サイドフラップと後サイドフラップを予め接合して、左右一対のレッグ開口部とウェスト開口部を形成したもので、基本的構造はフラット型と同様である。
【０００４】
このような使い捨ておむつを着用した状態で排尿を知らせるために、使い捨ておむつの外面シートの内側にその湿気を検知して表示する手段を配置したものが、米国特許第３６７５６５４号明細書や米国特許第３９５２７４６号明細書に開示されている。
【０００５】
また、米国特許第４０２２２１１号明細書には、外面シートの内面に、一連のアルファベットのブロックが散在した模様を印刷するとともに、各ブロックの外枠線は、濡れても溶けないインキを使って印刷し、ブロック上のアルファベットの文字は水溶性又は水分散性のインキで印刷し、排尿によって濡れたときにその濡れた部分のアルファベットの文字が消えることで、排尿を知らせるようにしたものが開示されている。
【０００６】
この種の使い捨ておむつの構成を、図８（ａ）を参照して説明すると、乳白色の防水シート３１とその外側に貼り合わされた不織布等のバックシート３２とから成る液不透過性の外面シート３３と、不織布等からなる液透過性の内面シート３４との間に吸収体３５が配設されており、その防水シート３１の吸収体３５に接触する内側面に、非水溶性インクにて印刷形成された不変模様３６と、水溶性インクにて印刷形成さたれ可変模様３７とが形成されている。
【０００７】
【発明が解決しようとする課題】
ところが、米国特許第３６７５６５４号明細書や米国特許第３９５２７４６号明細書に開示されているように、単純に排尿を知らせるだけでは、幼児にトイレトレーニングを行うために、幼児に排尿後の使い捨ておむつを見せてもその事態を理解させるのは困難である。
【０００８】
また、米国特許第４０２２２１１号明細書に開示された、図８（ａ）に示した構成では、排尿によって濡れた部分のアルファベットの文字などの可変模様３７が図８（ｂ）に示すように消えるが、不変模様３６のブロックとその内部の可変模様３７のアルファベット模様がともに、乳白色などの半透明の防水シート３１の内面に印刷形成されているので、外部からはバックシート３２と防水シート３１を通して見ることになるため、それほど鮮明に見える模様ではなく、かつ可変模様３７のアルファベットの文字が消えるといっても実際には水溶性インキで印刷したものが濡れることで、滲みながら薄くなって拡散するものであるため、外側から一目で模様の変化が分かるようなものでなく、特に幼児には文字が消えていても文字があった状態との差異を認識させるのは困難であるため、模様の変化を認識させるのは一層困難であり、上記と同様に幼児に排尿後の使い捨ておむつを見せてもその事態を理解させるのは困難である。
【０００９】
本発明は、上記従来の問題点に鑑み、排尿したときに模様の変化が明瞭に表れることで幼児にその事態を容易に理解させることができる使い捨ておむつを提供することを目的とする。
【００１０】
【課題を解決するための手段】
本発明の使い捨ておむつは、液透過性の内面シートと液不透過性で半透明の防水シートとの間に吸収体を介在させて成る使い捨ておむつにおいて、防水シートの吸収体に接する内側面に水分又は尿成分と接触すると変化する可変模様を形成し、防水シートの外側面若しくはそれより外側に不変模様を形成し、かつ可変模様と不変模様は関連した模様を構成しているものである。
【００１１】
この構成によれば、不変模様が半透明の防水シートの外側面に形成されていることで外側から一目で鮮明に認識することができ、かつこの不変模様と可変模様が関連した模様を構成しているので不変模様と可変模様の全体が明瞭に認識され、一方排尿によって水分又は尿成分が可変模様に接触すると、その可変模様が変化することで、不変模様と可変模様のコントラストの差によってその変化が鮮明に認識される。したがって、幼児が関心を持つような主題の模様を形成しておくことで、幼児に排尿後の使い捨ておむつを見せることで、排尿した事態を容易に理解させることができ、かつその模様を話題にして幼児と話しをすることで知育にも役立てることができる。
【００１２】
また、防水シートの外面には例えばクロス状の感触を与えるための不織布などのバックシートを配設することができ、その場合には、防水シートの外側面又はバックシートの内側面若しくは外側面に不変模様を形成すれば良い。
【００１３】
また、可変模様を水分と接触すると溶解性を示す水溶性インキによる印刷にて形成すると、排尿によって水溶性インクに水分が接触することで水溶性インクが溶解性を示して可変模様が消えることで、不変模様とのコントラストによって明瞭に模様の変化が認識される。また、消える模様が滲みながら薄くなって拡散することで、消えた部分が多少汚くなったとしても、不変模様が明瞭であるため、その汚さが目立たないばかりでなく、薄い地模様となって美観的に優れた模様が表れることになる。
【００１４】
また、可変模様を尿成分と接触すると変色する指示薬を含むホットメルトによる印刷にて形成すると、排尿によって指示薬に尿成分が接触することで可変模様の色が変わり、その結果不変模様と可変模様から成る模様の変化が明瞭に認識される。
【００１５】
また、可変模様が、尿成分と接触すると不変模様と同系色に変色するものであると、排尿によって色のコントラストで鮮明に認識されていた可変模様が不変模様に同化することで模様の変化が明瞭に認識される。
【００１６】
また、不変模様は統一した模様の輪郭を形成し、可変模様は輪郭の内側若しくは外側に描かれた模様であると、明瞭に認識される不変模様の輪郭で模様の変化を見るべき領域が明瞭であるため、模様の変化を確実に認識することができる。
【００１７】
【発明の実施の形態】
以下、添付図面を参照して本発明の使い捨ておむつの実施形態について説明し、本発明の理解に供する。なお、以下に示す実施形態は本発明を具体化した一例であって、本発明の技術的範囲を限定するものではない。
【００１８】
図１は、フラット型の使い捨ておむつ１の全体構成を示す。この使い捨ておむつ１は、液不透過性の外面シート２と液透過性の内面シート３との間に吸収体４（図３参照）を介在させた構成で、前ウェスト部５から股間部６を経て後ウェスト部７に至る縦長形状に形成されている。図３に示すように、外面シート２は乳白色の半透明で液不透過性のポリエチレンシートなどから成る防水シート１５の外面にクロスのような感触を与えるための薄い不織布などからなるバックシート１６を貼り合わせて構成され、内面シート３は不織布にて構成されている。
【００１９】
前ウェスト部５と後ウェスト部７間では、吸収体４の両側部に、糸ゴム等の弾性伸縮部材を伸長状態にして配置してシート２、３に接合することで立体ギャザー部８及びギャザリングされた外縁部９が形成され、前ウェスト部５と後ウェスト部７では、発泡ポリウレタンなどから成るテープ状の弾性伸縮部材をギャザリングしたシート２、３に接合することでウェストにフィットするように構成されている。前ウェスト部５及び後ウェスト部７には、それぞれ両側外方に延出する前サイドフラップ１１と後サイドフラップ１２が設けられている。
【００２０】
後サイドフラップ１２には止着テープ１３が設けられ、前ウェスト部５に止着テープ１３の止着面となるフロントターゲットテープ１４が設けられている。フロントターゲットテープ１４は、その表面に止着面を構成する易剥離面が設けられ、また目印線１４ａが表示されている。
【００２１】
この使い捨ておむつ１の装着時には、着用者の背側に後ウェスト部７、腹側に前ウェスト部５を当てがい、目印線１４ａを目安に着用者の体格、体型に応じて止着テープ１３の止着位置を決め、図２に示すように、フロントターゲットテープ１４に止着する。この止着テープ１３の止着によりレッグ開口部が形成され、着用者の股部分を外縁部９で包み込み、その内側に立体ギャザー部８が位置して尿漏れが防止される。
【００２２】
このような全体構成の使い捨ておむつ１において、股間部６の前部に、図２に示すように、排尿を知らせるための模様２０が設けられている。もちろん、前ウェスト部５から後ウェスト部７にわたって適当間隔置きに複数の模様２０を設けてもよい。模様２０は、図２、図３に示すように、防水シート１５の吸収体４に接する面とは反対側の外側面に印刷形成された不変模様２１と、防水シート１５の吸収体４に接する内側面に印刷形成された可変模様２２にて構成され、可変模様２２は、水分と接触すると溶解性を示す水溶性インキによる印刷にて形成されている。なお、不変模様２１は、水分と接触しない防水シート１５の外側面に印刷形成されるので、たとえ可変模様２２と同じインキを用いて印刷しても溶けだすことはなく、任意のインキにて印刷形成することができる。
【００２３】
上記不変模様２１と可変模様２２とは相互に関連して統一した模様２０を構成している。本実施形態における図示例では、模様２０は、金魚鉢の中で泳ぐ金魚を表す統一した模様２０としており、その模様２０における輪郭である金魚鉢を不変模様２１とし、その中で泳ぐ金魚を可変模様２２としている。
【００２４】
以上の構成によれば、使い捨ておむつ１を装着した状態で、排尿する前には、図２に示すように、不変模様２１と可変模様２２とが相互に関連して統一した模様２０が外部から見えている。また、その模様２０は、不変模様２１が半透明の防水シート１５の外側面に形成されていることでバックシート１６だけを通して外部から鮮明に見え、その中に可変模様２２がバックシート１６及び半透明の防水シート１５を通して見えている状態となっている。
【００２５】
一方、排尿によって水分が可変模様２２に接触すると、図４（ｂ）に示すように、水溶性インクが水に溶け出して可変模様２２が消えることで、図４（ａ）に示すように、外部から不変模様２１だけが見えるようになる。また、水溶性インクで形成された可変模様２２が滲みながら薄くなって拡散して消えることで、その消えた部分が多少汚くなったとしても、不変模様２１は上記のように明瞭であるため、その汚さが目立たないばかりでなく、薄い地模様となって美観的に優れた模様が表れることになる。特に、不変模様２１が模様２０の輪郭を形成しているため、その内部の可変模様２２が排尿によって消えることで、例えば、図示例の場合には金魚鉢の中で泳いでいた金魚が消えることで、幼児に対しても強いイメージを与えることができる。
【００２６】
かくして、模様２０として、幼児が関心を持つような主題の模様を形成しておくと、排尿によってその一部の可変模様２２が見えなくなった使い捨ておむつ１を見せることで、幼児に排尿した事態を容易に理解させることができ、用便を便器で行わせるためのトイレトレーニングに効果的である。また、模様２０を話題にして幼児と色々な話しをすることで知育にも役立てることができる。
【００２７】
また、以上の構成では、不変模様２１を防水シート１５の外側面に形成した例を示したが、図５に示すように、バックシート１６の内側面に形成しても良く、また図６に示すように、バックシート１６の外側面に形成しても良い。
【００２８】
上記実施形態の説明では、可変模様２２を水分と接触すると溶解性を示す水溶性インキによる印刷にて形成した例を示したが、可変模様２２を尿成分と接触すると変色する指示薬を含むホットメルトによる印刷にて形成してもよい。その印刷には、例えばニッタフィンドレー社製のホットメルトなどを好適に用いることができる。
【００２９】
上記指示薬としては、ＰＨ指示薬や、糖酸化酵素、ペルオキシダーなどに反応する被酸化性指示薬を用いることができる。ＰＨ指示薬としては、ＰＨが３〜７で変化するものが用いられ、その例としてはプロモフェノールブルー、メチルオレンジ、アリザンＳ、プロモクレゾールグリーン、メチルレッド、プロモクレゾールパープル等が挙げられるが、これらに限定されるものではない。これらの呈色指示薬のうち特に好ましいものとしては、プロモフェノールブルー、プロモクレゾールグリーン及びプロモクレゾールパープル等が挙げられる。これらの呈色指示薬は親水性組成物に含有され、その親水性組成物の全量に対して好ましくは０．０１〜５０重量％、更に好ましくは０．０１〜４０重量％、一層好ましくは０．０１〜１重量％、最も好ましくは０．０１〜０．５重量％含有される。呈色指示薬の量が０．０１重量％に満たないと、変色しても色が薄く、外部から視認しづらくなることがあり、５０重量％を越えると、親水性組成物の変色前の色が濃すぎて外観が良くなく、さらにコスト高になることがあるので上記範囲内とすることが好ましい。
【００３０】
ホットメルトの例としては、エチレン−酢酸ビニル、スチレン系ブロックコポリマー、ポリプロピレン及び酢酸ビニル／ビニルピロリドンコポリマーを含むビニルピロリドンポリマーを用いることができる。好ましくは、ベースポリマーはスルホン化ポリエステルである。
【００３１】
そして、ＰＨ指示薬とホットメルトは、ホットメルトが０．００５〜３質量％となるように配合するのが好適である。また、ホットメルトには、そのＰＨを変えるＰＨ調整剤を含んでおり、そのＰＨ調整剤は、酸化可塑剤、例えばカルボン酸が好ましい。酸性可塑剤の例としては、イソステアリン酸、アゼライン酸、オレイン酸、リノール酸、リシノール酸及びダイマー酸などが用い得るが、イソステアリン酸が好ましい。
【００３２】
このように、可変模様２２を尿成分と接触すると変色する指示薬を含むホットメルトによる印刷にて形成すると、排尿によって尿成分が接触すると可変模様２２の色が変わることで、不変模様２１と可変模様２２から成る模様２０の変化が明瞭に認識され、幼児に対する印象をより強くすることができる。また、可変模様２２が、尿成分と接触すると不変模様２１と同系色に変色するものであると、排尿によって色のコントラストで鮮明に認識されていた可変模様２２が不変模様２１に同化することで模様の変化が明瞭に認識される。
【００３３】
さらに、以上の実施形態の説明では、不変模様２１と可変模様２２を、防水シート１５の吸収体４側と防水シート１５の外面側若しくはそれより外側とに、互いに重ならないように形成した例を示したが、図７に示すように、不変模様２１と可変模様２２を重なるように形成しておいて、可変模様２２が変色することで、不変模様２１が変色して見えるようにしてもよい。
【００３４】
【発明の効果】
本発明の使い捨ておむつによれば、防水シートの吸収体に接する内側面に水分又は尿成分と接触すると変化する可変模様を形成し、防水シートの外側面若しくはそれより外側に不変模様を形成しているので、不変模様が半透明の防水シートの外側面に形成されていることで外側から一目で鮮明に認識することができ、かつこの不変模様と可変模様が関連した模様を構成しているので不変模様と可変模様の全体が明瞭に認識され、一方排尿によって水分又は尿成分が可変模様に接触すると、その可変模様が変化することで、不変模様と可変模様のコントラストの差によってその変化が鮮明に認識される。したがって、幼児が関心を持つような主題の模様を形成しておくことで、幼児に排尿後の使い捨ておむつを見せることで、排尿した事態を容易に理解させることができ、かつその模様を話題にして幼児と話しをすることで知育にも役立てることができる。
【図面の簡単な説明】
【図１】本発明の使い捨ておむつの一実施形態の構成を示す斜視図である。
【図２】同実施形態の使い捨ておむつの正面図である。
【図３】図２のＡ−Ａ矢視拡大断面図である。
【図４】同実施形態における排尿後の状態を示し、（ａ）は見える模様の正面図、（ｂ）は図３と同様の断面図である。
【図５】同実施形態の変形例の図３と同様の断面図である。
【図６】同実施形態の他の変形例の図３と同様の断面図である。
【図７】同実施形態の更に別の変形例の図３と同様の断面図である。
【図８】従来例の使い捨ておむつを示し、（ａ）は排尿前の状態の要部の断面図、（ｂ）は排尿後の状態の要部の断面図である。
【符号の説明】
１　使い捨ておむつ
２　外面シート
３　内面シート
４　吸収体
１５　防水シート
１６　バックシート
２０　模様
２１　不変模様
２２　可変模様
【図１】
2004089614.tif 000003
【図２】
2004089614.tif 000004
【図３】
2004089614.tif 000005
【図４】
2004089614.tif 000006
【図５】
2004089614.tif 000007
【図６】
2004089614.tif 000008
【図７】
2004089614.tif 000009
【図８】
2004089614.tif 000010